(57)【要約】【課題】建設現場記録写真用の標尺において、専用の支持具を使用することなく、各種の被写体に簡単にかつ安定した状態で取り付けることができる標尺を提供するものである。【解決手段】建設現場において寸法の記録写真に撮影される平板状の標尺１において、標尺１の長手方向の両側に幅方向の上下のそれぞれに表裏を貫通するとともに、被写体に取り付ける取り付け材３が通される取付用孔２が設けられている標尺。付用孔２を通す取り付け材３には、紐、針金、釘又はネジのいずれかを利用することができる。【選択図】図２
0003151372.tif 000002
【実用新案登録請求の範囲】
【請求項１】
建設現場において寸法の記録写真に撮影される平板状の標尺において、標尺の長手方向の両側にそれぞれ幅方向の上下に表裏を貫通するとともに、被写体に取り付ける取り付け材が通される取付用孔が設けられていることを特徴とする標尺。
【請求項２】
取付用孔を通す取り付け材が紐、針金、釘又はネジのいずれかであることを特徴とする請求項１に記載の標尺。
【請求項３】
取付孔を標尺の長手方向の中間の幅方向の上下に形成したことを特徴する請求項１又は２に記載の標尺。
【考案の詳細な説明】
【技術分野】
【０００１】
本考案は、建設工事等で記録写真撮影時に、鉄筋間隔等の被写体の寸法を明確にするため被写体とともに写しこむ平板状の標尺に関する。
【背景技術】
【０００２】
建設工事現場で梁、柱等の配筋状況の写真を撮影する際に寸法を記録するために平板状の標尺が使用され、鉄筋に標尺を固定するための支持具が提案されている（特許文献１および２参照）。
【０００３】
前記特許文献１には、配筋用標尺が記載されている。図４に示すスライド金具を利用した従来の標尺を示す図である。図４において、配筋用標尺は、十文字状に組み合わされた縦横の標尺片１１，１２の一方に装着されたスライド金具１３を、標尺片１１に沿って鉄筋１４の位置まで移動させ、スライド金具１３に装架された永久磁石１５を鉄筋１４に吸着させることによって鉄筋１５に固定させて鉄筋出来形寸法写真を撮影するものである。スライド金具１３には標尺片１１を圧接する板ばね１６が装着され、標尺片１１を摺動したスライド金具１３が所定の位置で固定されるようになっている。
【０００４】
また、前記特許文献２には、図５に示す標尺支持具を利用した従来の標尺を示す図である。図５において、平板の上側を折り曲げて鉄筋１８に係止するフック状の鉄筋係止部１９を形成するとともに、平板の下側を折り曲げてフック状の標尺支持部２０を形成し、この標尺支持部２０の上方で標尺幅位置に標尺２１を係止する標尺係止片２２が切り起こしにより設けられた標尺支持具１７が記載されている。標尺２１の鉄筋１８への支持は、鉄筋１８に間隔をおいて一方の支持具１７のフック状の鉄筋係止部１９を鉄筋１８に係止し、間隔をおいて他方の標尺支持具１７のフック状の鉄筋係止部１９を鉄筋１８に係止した後、標尺支持部２０と標尺係止片２２の間に標尺２１を通して二つの標尺支持具により支持する。
【先行技術文献】
【特許文献】
【０００５】
【特許文献１】実開昭６３−３１３２１号公報
【特許文献２】実開平１−１６８８１６号公報
【考案の概要】
【考案が解決しようとする課題】
【０００６】
前記特許文献１に記載されている配筋用標尺のスライド金具は、スライド金具に永久磁石、板ばねを設ける必要があるため構造が複雑となる。また、標尺片が十文字状に組み合わされているためスライド金具の間隔が長くなると標尺の重量が増えて鉄筋と線接触する永久磁石では支持できなくなるおそれがある。二つのスライド金具をスライドさせて標尺を支持するので、取り付け作業に労力と時間を要する。
【０００７】
前記特許文献２の支持具では、二つの支持具を利用してフック状の鉄筋係止部、フック状の標尺支持部及び標尺係止片により鉄筋への固定及び標尺の取り付け作業が必要となるため、取り付け作業に労力と時間を要する。また、フック状の鉄筋係止部だけで鉄筋に掛けるため、風などにより不安定な支持となる場合がある。
【０００８】
そこで本考案は、建設現場記録写真用の標尺において、専用の支持具を使用することなく、各種の被写体に簡単にかつ安定した状態で取り付けることができる標尺を提供するものである。
【課題を解決するための手段】
【０００９】
請求項１の考案は、建設現場において寸法の記録写真に撮影される平板状の標尺において、標尺の長手方向の両側にそれぞれ幅方向の上下に表裏を貫通するとともに、被写体に取り付ける取り付け材が通される取付用孔が設けられていることを特徴とする標尺である。
【００１０】
請求項２の考案は、取付用孔を通す取り付け材が紐、針金、釘又はネジのいずれかであることを特徴とする請求項１に記載の標尺である。
【考案の効果】
【００１１】
本考案は、標尺に形成された取付用孔を利用して、紐、針金、釘、ネジなどの取り付け材を通して標尺を簡単にかつ安定した状態で被写体に固定することができる。
【００１２】
また、本考案は、被写体に応じて取り付け可能な取り付け材を選択し、取付用孔を利用して各種の被写体に取り付けが可能となる。
【００１３】
また、本考案は、標尺の表裏を貫通する取付穴を形成するだけの簡単な加工で済むため、従来のスライド金具や支持具に比べて、製造に手間がかからない。
【図面の簡単な説明】
【００１４】
【図１】本考案の標尺の正面図である。
【図２】本考案の標尺を鉄筋に取り付けた状態を示す図である。
【図３】本考案の標尺を木製の杭に取り付ける状態を示す図である。
【図４】従来の、スライド金具を利用した標尺を示す図である。
【図５】従来の、支持具を利用した標尺を示す図である。
【考案を実施するための形態】
【００１５】
本発明の実施例について図面を参照しながら説明する。
【実施例１】
【００１６】
図１において、標尺１には、従来の平板状の標尺と同様に、目盛り及び数字が表示されている。
【００１７】
標尺１の長手方向の両側に幅方向の上下のそれぞれに表裏を貫通するとともに、被写体に取り付ける取り付け材３が通される取付用孔２が設けられている。
【００１８】
取付用孔２に通す取り付け材３は、被写体に応じて、紐、針金、釘あるいはネジのいずれかが選択される。例えば、被写体が鉄筋の場合には取り付け材として紐あるいは針金が使用され、被写体が木製の柱や杭などでは、取り付け材として釘あるいはネジを使用して固定することも可能である。
【００１９】
なお、取付孔は、標尺１の長手方向の両側だけでなく、長い標尺１の場合、その中間に形成して確実に被写体に固定できるようにしてもよい。
【００２０】
図２は本考案の標尺１を鉄筋４に取り付けた状態を示し、取付孔２に取り付け材３として紐を通して鉄筋４に結んで固定する。
【００２１】
図３は本考案の標尺１でコンクリート溝５の高さの記録写真を撮影するため、コンクリート溝５の側に立てた杭６に標尺１の取付孔２を通して取り付け材３である釘を打ち込んだ例である。
【符号の説明】
【００２２】
１：標尺
２：取付用孔
３：取り付け材
４：鉄筋
５：コンクリート溝
６：杭
１１：標尺片
１２：標尺片
１３：スライド金具
１４：鉄筋
１５：永久磁石
１６：板ばね
１７：支持具
１８：鉄筋
１９：鉄筋係止部
２０：標尺支持部
２１：標尺
２２：標尺係止片
【図１】
0003151372.tif 000003
【図２】
0003151372.tif 000004
【図３】
0003151372.tif 000005
【図４】
0003151372.tif 000006
【図５】
0003151372.tif 000007